(57)【要約】【課題】排水能力を向上できるヘアーキャッチャーの排水構造及び、排水能力を向上でき尚且つ排水時の水力をエネルギーとして有効利用できるヘアーキャッチャーの排水構造を備えた洗面化粧台を提供する。【解決手段】ヘアーキャッチャー２を、芯体３と、芯体３から放射状に伸びる毛髪やゴミを補足するための複数の羽根４と、平面視同一円上に位置する各羽根４の外側端部同士を接続する平面視円形状の外枠体５とで構成する。前記各羽根４を下方に行く程周方向にずれるように傾斜させる。ヘアーキャッチャー２を排水孔部１３内に回転自在に配設する。【選択図】        図１
2004150038.tif 000002
【特許請求の範囲】
【請求項１】
ヘアーキャッチャーを、芯体と、芯体から放射状に伸びる毛髪やゴミを補足するための複数の羽根と、平面視同一円上に位置する各羽根の外側端部同士を接続する平面視円形状の外枠体とで構成し、前記各羽根を下方に行く程周方向にずれるように傾斜させ、このヘアーキャッチャーを排水孔部内に回転自在に配設して成ることを特徴とするヘアーキャッチャーの排水構造。
【請求項２】
上記排水孔部内に上端部に排水孔部を閉塞する排水栓を備えた上下動自在の軸を配設し、ヘアーキャッチャーの芯体に前記軸を回転自在に挿通し、軸を上下動させて排水栓で排水孔部の開閉を切替える操作部を備えて成ることを特徴とする請求項１記載のヘアーキャッチャの排水構造。
【請求項３】
洗面ボウルの底面部の排水孔部内に配設されるヘアーキャッチャーを備えた洗面化粧台において、ヘアーキャッチャーを、芯体と、芯体から放射状に伸びる毛髪やゴミを補足するための複数の羽根と、平面視同一円上に位置する各羽根の外側端部同士を接続する平面視円形状の外枠体とで構成し、前記各羽根を下方に行く程周方向にずれるように傾斜させ、このヘアーキャッチャーを排水孔部内に回転自在に配設し、洗面化粧台にヘアーキャッチャーの芯体に接続されると共にヘアーキャッチャーの回転により発電する発電機を備えて成ることを特徴とするヘアーキャッチャーの排水構造を備えた洗面化粧台。
【請求項４】
上記洗面化粧台に発電機で発電した電力を貯える蓄電池を備えて成ることを特徴とする請求項３記載のヘアーキャッチャーの排水構造を備えた洗面化粧台。
【請求項５】
上記洗面化粧台に照明器を設け、該照明器を蓄電池と電気的に接続して成ることを特徴とする請求項４記載の洗面化粧台。
【請求項６】
上記洗面化粧台に洗面ボウルに水を供給する給水装置を設け、該給水装置は手を検知する人体検知センサと、その検知信号により給水路の開閉を自動的に切替える電磁弁とを備え、前記人体検知センサと電磁弁のうち、少なくともいずれか一方を前記蓄電池と電気的に接続して成ることを特徴とする請求項４又は請求項５記載の洗面化粧台。
【発明の詳細な説明】
【０００１】
【発明の属する技術分野】
本発明は、ヘアーキャッチャーの排水構造及びその排水構造を備えた洗面化粧台に関するものである。
【０００２】
【従来の技術】
従来から、図１２に示すような毛髪やゴミを補足するためのヘアーキャッチャー２の排水構造が知られており、この排水構造は洗面化粧台の洗面ボウル６６の底面部の排水孔部１３を開閉する排水栓１４を排水孔部１３内に設け、排水栓１４から垂下する軸２２にヘアーキャッチャー２を一体に形成してあり、この排水栓１４に一体に設けられたヘアーキャッチャー２を排水孔部１３内に配設している（例えば特許文献１参照）。
【０００３】
【特許文献１】
特開平１０−１６８９７５号公報
【０００４】
【発明が解決しようとする課題】
しかし上記従来のヘアーキャッチャー２の排水構造における排水孔部１３には上述したように排水栓１４やヘアーキャッチャー２等の部品を設けているため、排水能力が低下してしまうという問題がある。また近年では省エネルギー化が求められているのだが、上記従来の排水構造は排水の水力をエネルギーとして有効利用しておらず大変非効率なものであった。
【０００５】
本発明は上記の点に鑑みてなされたものであり、その目的とするところは、排水能力を向上できるヘアーキャッチャーの排水構造及び、排水能力を向上でき尚且つ排水時の水力をエネルギーとして有効利用できるヘアーキャッチャーの排水構造を備えた洗面化粧台を提供することを課題とするものである。
【０００６】
【課題を解決するための手段】
上記課題を解決するために本発明に係るヘアーキャッチャーの排水構造は、ヘアーキャッチャー２を、芯体３と、芯体３から放射状に伸びる毛髪やゴミを補足するための複数の羽根４と、平面視同一円上に位置する各羽根４の外側端部同士を接続する平面視円形状の外枠体５とで構成し、前記各羽根４を下方に行く程周方向にずれるように傾斜させ、このヘアーキャッチャー２を排水孔部１３内に回転自在に配設して成ることを特徴とするものである。
【０００７】
このように、ヘアーキャッチャー２の各羽根４を下方に行く程周方向にずれるように傾斜させ、このヘアーキャッチャー２を排水孔部１３内に回転自在に配設することで、排水孔部１３を流れる排水はヘアーキャッチャー２の傾斜した各羽根４に当たり、これにより排水孔部１３に回転自在に配設されたヘアーキャッチャー２は回転し、このヘアーキャッチャー２の回転によりヘアーキャッチャー２の上流側の水は下流側に吸い込まれることとなり、これによって排水孔部１３からの排水能力を増加させることができる。
【０００８】
また請求項２記載のヘアーキャッチャーの排水構造は請求項１記載の排水構造において、上記排水孔部１３内に上端部に排水孔部１３を閉塞する排水栓１４を備えた上下動自在の軸２２を配設し、ヘアーキャッチャー２の芯体３に前記軸２２を回転自在に挿通し、軸２２を上下動させて排水栓１４で排水孔部１３の開閉を切替える操作部を備えて成ることを特徴とするものである。
【０００９】
このように排水孔部１３内に上端部に排水孔部１３を閉塞する排水栓１４を備えた上下動自在の軸２２を配設し、ヘアーキャッチャー２の芯体３に前記軸２２を回転自在に挿通し、軸２２を上下動させて排水栓１４で排水孔部１３の開閉を切替える操作部を備えることで、軸２２によりヘアーキャッチャー２の回転を安定させることができ、また排水栓１４を備えた排水構造において簡単な構成でヘアーキャッチャー２を排水孔部１３内に配設することができる。
【００１０】
また請求項３記載のヘアーキャッチャーの排水構造を備えた洗面化粧台は、洗面ボウル６６の底面部の排水孔部１３内に配設されるヘアーキャッチャー２を備えた洗面化粧台１において、ヘアーキャッチャー２を、芯体３と、芯体３から放射状に伸びる毛髪やゴミを補足するための複数の羽根４と、平面視同一円上に位置する各羽根４の外側端部同士を接続する平面視円形状の外枠体５とで構成し、前記各羽根４を下方に行く程周方向にずれるように傾斜させ、このヘアーキャッチャー２を排水孔部１３内に回転自在に配設し、洗面化粧台１にヘアーキャッチャー２の芯体３に接続されると共にヘアーキャッチャー２の回転により発電する発電機６を備えて成ることを特徴とするものである。
【００１１】
このようにヘアーキャッチャー２の各羽根４を下方に行く程周方向にずれるように傾斜させ、このヘアーキャッチャー２を排水孔部１３内に回転自在に配設することで、排水孔部１３を流れる排水はヘアーキャッチャー２の傾斜した羽根に当たり、これにより排水孔部１３に回転自在に配設されたヘアーキャッチャー２は回転し、このヘアーキャッチャー２の回転によりヘアーキャッチャー２の上流側の水は下流側に吸い込まれることとなり、これによって排水孔部１３からの排水能力を増加させることができ、尚且つ、洗面化粧台１にヘアーキャッチャー２の芯体３に接続されると共にヘアーキャッチャー２の回転により発電する発電機６を備えることで、洗面化粧台１に備えた種々の電気機器に電力を供給することが可能となる。
【００１２】
また請求項４記載のヘアーキャッチャーの排水構造を備えた洗面化粧台は請求項３記載の洗面化粧台において、上記洗面化粧台１に発電機６で発電した電力を貯える蓄電池７を設けて成ることを特徴とするものである。
【００１３】
このように蓄電池７を設けることで、排水時以外にも洗面化粧台１の種々の電気機器に電力を供給することが可能となる。
【００１４】
また請求項５記載のヘアーキャッチャーの排水構造を備えた洗面化粧台は請求項４記載の洗面化粧台において、上記洗面化粧台１に照明器８を設け、該照明器８を蓄電池７と電気的に接続して成ることを特徴とするものである。
【００１５】
上記により、蓄電池７に貯えられた電力を洗面化粧台１に備えた照明器８に供給することができる。
【００１６】
また請求項６記載のヘアーキャッチャーの排水構造を備えた洗面化粧台は請求項４又は請求項５記載の洗面化粧台において、上記洗面化粧台１に洗面ボウル６６に水を供給する給水装置９を設け、該給水装置９は手を検知する人体検知センサ１０と、その検知信号により給水路の開閉を自動的に切替える電磁弁１１とを備え、前記人体検知センサ１０と電磁弁１１のうち、少なくともいずれか一方を前記蓄電池７と電気的に接続して成ることを特徴とするものである。
【００１７】
上記により、蓄電池７に貯えられた電力を人体検知センサ１０や電磁弁１１に供給することが可能となる。
【００１８】
【発明の実施の形態】
以下、本発明を添付図面に示す実施形態に基づいて説明する。なお、本実施形態におけるヘアーキャッチャーの排水構造は、以下に示す洗面化粧台に適用されるものとするが、これに限定されるものではなく、従来から知られている種々のヘアーキャッチャーを備えた排水構造に適用できるものとする。
【００１９】
図２にヘアーキャッチャー２の排水構造を備えた洗面化粧台１を示す。洗面化粧台１は、上部に洗面台５４を備えており、洗面台５４には洗面ボウル６６と、洗面ボウル６６内に給水路の水を供給するための給水装置９を設けている。
【００２０】
上記給水装置９はいわゆる自動給水装置であり、人の手を検知する人体検知センサ１０と、その検知信号により給水路の開閉を自動的に切替える電磁弁１１と、電磁弁１１の開閉状態を表示するＬＥＤのような表示部５６とを備えており、検知センサー７により人の手を検知した場合には電磁弁１１を開にして給水路からの給水を行い、検知しない場合には電磁弁１１を閉にして給水を停止するように設定されている。
【００２１】
また洗面台５４の上面には図示は省略するが小物を収納するキャビネットを備えている。キャビネットは例えば収納部と、鏡付き扉等の前記収納部の開口を覆う開閉自在の扉と、扉の開閉を検知する開閉検知センサーと、前記開閉検知センサーの検知結果に基づいて扉が開いた状態ではＯＮとなり扉が閉じた状態ではＯＦＦとなる収納部を照らすＬＥＤのような照明器８とを備えている。
【００２２】
そして、上記洗面化粧台１の洗面ボウル６６の底面部には、図１及び図３〜５に示すように洗面ボウル６６の底面部に穿孔した排水口１５に接続される円筒部１６と、円筒部１６の下端に接続される排水金具１２とで構成される排水孔部１３が設けられており、排水孔部１３内の上端部には上下移動自在に且つ着脱自在に排水栓１４が配設されている。
【００２３】
円筒部１６は排水口１５の周縁から下方に突出しており、洗面ボウル６６と一体に形成されている。円筒部５の内周面の上部は排水口１５側に行く程内径が大きくなるテーパ面６１で形成されており、このテーパ面６１が後述する排水栓１４の外端部の受け面となっている。円筒部１６の内周面の下部は直円筒面６２で形成され、該直円筒面６２の下端には内方に向けて突出するつば状の係合部１７を形成されており、この係合部１５に対して後述する排水金具１２の上端部に設けたつば部１８が係合可能となっている。
【００２４】
排水栓１４は図６に示すように略円盤形状を有しており、排水金具１２のつば部１８の内径よりも大きく且つ排水口１５の内径よりも小さく形成されている。この排水栓１４は止水状態では排水口面１５ａより下方で且つ排水金具１２のつば部１８より上方の第１の位置Ｐ１（図３）まで下降して排水栓１４の外端部が円筒部１６のテーパ面６１に当接するものであり、また排水状態では排水口面１５ａと略面一となる中間位置Ｐ２（図１）まで上昇して排水栓１４の外端部と円筒部１６のテーパ面６１との間に通水路が形成されるものであり、さらに排水栓１４の清掃時には排水栓１４を容易に取外せるように排水栓１４は排水口面１５ａよりも上方の第２の位置Ｐ３まで突出可能となっている。
【００２５】
また排水栓１４の下面には中心から垂下する軸２２が設けられており、該軸２２は排水孔部１３の軸芯を通るように配設される。また軸２２の下端には排水栓支持部材１９が形成されている。
【００２６】
円筒部１６の下部の内側には排水金具１２の上端部が接続されている。排水金具１２は略円筒状に形成されており、その上端から下端に亘って、前述した円筒部１６のつば状係合部１７に係合するつば部１８と、側面にオーバーフロー水用孔２０が設けられたオーバーフロー管接続部２１と、締め付けナットのようなねじ具５５が下方から螺合するねじ部２３と、側面に排水用孔２４が設けられた排水管接続部２５とが形成されている。
【００２７】
排水金具１２のつば部１８の内周面は円筒部１６のテーパ面６１と同方向に傾斜したテーパ面２６で形成されており、円筒部１６のテーパ面６１と排水金具１２のテーパ面２６とは略面一に連成されており、これにより、排水金具１２のつば部１８には残水、水垢等の汚れが溜まり難くなっている。
【００２８】
オーバーフロー管接続部２１には、洗面ボウル６６内のオーバーフロー水を排水するためのオーバーフロー管２７に連結されるオーバーフロー用連結管２８が接続され、排水管接続部２５には、排水金具１２内の排水を外部に排水するための排水管２９に接続される排水用連結管３０が接続される。これらオーバーフロー用連結管２８及び排水用連結管３０は、略同じ構造を有しており、上下に開口し且つ側面に開口した縦筒部３１（３３）とこれに連なる横筒部３２（３４）とから成るＴ字管で構成されており、排水金具１２に対して回転自在に装着されるものである。
【００２９】
また排水管接続部２５の下部の取付け部３６に取付けられる排水栓駆動部材３５は、排水金具１２の取付け部３６の雌ねじ部に下方から螺合するねじ筒３７と、ねじ筒３７の下端外周に突設されたフランジ３８とから成り、ケーブル３９の先端側に設けた抜け止めブロック４０によってケーブル３９はねじ筒３７から抜けるのが防がれている。このねじ筒３７のフランジ３８の下面にはケーブルガイド４１の先端が取付けられている。ケーブルガイド４１内にはケーブル３９が収納され、ケーブル３９の先端部はねじ筒３７内を貫通して前述した排水栓支持部材１９の下面に当接している。
【００３０】
上記ケーブル３９の基端部は図７に示すようにポップアップ引き棒４２の下端に連結されており、本実施形態においてはこのポップアップ引き棒４２を軸２２を上下動させて排水栓１４で排水孔部１３の開閉を切替える操作部としている。このポップアップ引き棒４２は、洗面台５４や洗面ボウル６６に設けた取付け孔部（図示せず）に嵌め込み固定される受け部材４３内に上下移動可能に挿通している。受け部材４３には、筒部４４の上端外周につば部４５が設けられ、筒部４４の外周には締め付けナット４６が螺合するねじ部が設けられている。そして、ポップアップ引き棒４２のボタン４７を上下に動かすことによってケーブル３９が前進又は後退移動して排水栓１４が前記第１の位置Ｐ１、前記中間位置Ｐ２及び前記第２の位置Ｐ３（図４）の間で移動可能となっている。また、ポップアップ引き棒４２の下部外面には例えば上下二段のリブ状の段差部４８ａ、４８ｂが形成されている。一方、受け部材４３内にはＯリングからなる係止リング４９が嵌め込まれており、後述のように排水栓１４を排水状態にした時には下段の段差部４８ｂが係止リング４９に引っ掛かることで排水栓１４を排水口面１５ａと略面一の中間位置Ｐ２で停止できものであり、更に排水栓１４を排水口面１５ａより上方に突出させた時には下段の段差部４８ｂが係止リング４９を通過して上段の段差部４８ａが係止リング４９に引っ掛かることで排水栓１４を排水口面１５ａより上方に突出した第２の位置Ｐ３で停止できるものであり、これら段差部４８ａ、４８ｂを有するポップアップ引き棒４２と係止リング４９を有する受け部材４３等によって、排水栓を前記第１の位置Ｐ１と前記中間位置Ｐ２と前記第２の位置Ｐ３とのいずれかを選択してその選択位置で停止させる手段が構成されている。
【００３１】
ここで、排水金具１２を円筒部１６に取付けるにあたっては、排水金具１２を円筒部１６内に上方から挿入して、排水金具１２のつば部１８を洗面ボウル６６の排水口面１５ａより下方位置に設けた係合部１７に係合させ、受け部材４３のねじ部に対して締め付けナット４６を締め付け固定した後に、排水金具１２の下方からオーバーフロー用連結管２８の縦筒部３１を挿入し、続いて断面台形状のパッキン５０を挿入し、排水金具１２のねじ部２３に対してねじ具５５を締め付け固定した後に、排水用連結管３０の縦筒部３３を挿入し、最後に、取付け部３６の下方から断面台形状のパッキン５１（図１参照）を介して排水栓駆動部材３５のねじ筒３７をねじ込むようにする。
【００３２】
しかして、止水状態にする時には、図３に示すように、ポップアップ引き棒４２のボタン４７を最も上に引き上げると、ケーブル３９が引張られて排水栓支持部材１９が押し下げられ、排水栓１４は排水口面１５ａより下方で且つ排水金具１２の上端部より上方の第１の位置Ｐ１まで下降して排水栓１４の外端部が排水孔部１３の内周面に当接して止水状態となり、洗面ボウル６６内に水を満たすことができるようになる。一方、排水状態にする時には、図１に示すように、ポップアップ引き棒４２のボタン４７を下方にある程度まで押し下げると、ケーブル３９が押し出されて排水栓支持部材１９と共に排水栓１４が上昇し、ポップアップ引き棒４２の下段の段差部４８ｂが受け部材４３内の係止リング４９に引っ掛かった時にカチッと音がし、このときポップアップ引き棒４２の押し下げを停止する。これにより、排水栓１４は排水口面１５ａと略面一となる中間位置Ｐ２まで上昇して排水栓１４の外端部と排水孔部１３の内周面との間に通水路５２が形成され、洗面ボウル６６内の水を通水路５２から排水用連結管３０を経て排水管２９内に排水できるようになる。
【００３３】
さらに、排水栓５の清掃時には、図４に示すように、ポップアップ引き棒４２のボタンを更に押し下げると、ケーブル３９が更に押し出されて排水栓支持部材１９と共に排水栓１４が更に上昇し、ポップアップ引き棒４２の下段の段差部４８ｂが係止リングを通過して上段の段差部４８ａが係止リング４９に引っ掛かった時にカチッと音がし、このときポップアップ引き棒４２の押し下げを停止すると、排水栓１４は排水口面１５ａよりも上方の第２の位置Ｐ３まで突出した状態で保持されることとなり、排水栓支持部材１９をケーブル３９から取り外すことで排水栓１４を容易に取外せるようになる。
【００３４】
そして上記排水孔部１３内に毛髪やゴミを捕捉するためのヘアーキャッチャー２が排水孔部１３の周方向に回転自在で且つ着脱自在に配設してあり、ヘアーキャッチャー２の芯体３（後述する）には前記軸２２を回転自在に挿通してある。
【００３５】
詳述すると、本実施形態におけるヘアーキャッチャー２は図６に示すように上下方向に並べて配置された２つのヘアーキャッチャー２ａ、２ｂを接続片５３にて一体に接続してある。
【００３６】
上下各ヘアーキャッチャー２ａ、２ｂは平面視円形状の芯体３と、芯体３から放射状に伸びる毛髪やゴミを補足するための複数の羽根４と、平面視同一円上に位置する各羽根４の外側端部同士を接続する平面視円形状の外枠体５とで構成されている。各羽根４は下方に行く程同一周方向にずれるように傾斜している。なお、本実施形態においては上記羽根４を７枚設けてあり、各羽根４は芯体３を中心として周方向等角度毎に配されている。
【００３７】
上記上下の各ヘアーキャッチャー２ａ、２ｂの芯体３は棒状の接続片５３の上下面に一体に接続されており、この上下の芯体３と接続片５３とからなる軸芯部５７には上下に貫通する貫通孔５８が穿孔している。そしてこの貫通孔５８に上記排水栓１４から垂下した軸２２を挿通することで、上下のヘアーキャッチャー２ａ、２ｂ及び接続片５３は軸２２に回転自在に且つ上下動自在に遊嵌されることとなる。また上述した下のヘアーキャッチャー２ｂの外枠体５は止水状態及び排水状態において排水金具１２の内面の上下方向中央部に形成した段部５９（図１等参照）に支持されており、これにより上下のヘアーキャッチャー２ａ、２ｂは排水孔部１３に支持されている。そして各ヘアーキャッチャー２ａ、２ｂは排水状態よりも更に排水栓１４を押し上げた場合のみ、排水栓支持部材１９によって押し上げられ、段部５９よりも上方の箇所に位置することとなる。
【００３８】
しかして、ヘアーキャッチャー２ａ、２ｂは排水栓１４と排水栓支持部材１９の間に配設されることとなり、排水栓１４を排水孔部１３から引きぬくことで、排水栓１４、軸２２、排水詮支持部材１９と一緒にヘアーキャッチャー２ａ、２ｂを容易に取り外すことが可能となる。
【００３９】
以下にこのヘアーキャッチャー２を供えた上記洗面化粧台１の排水栓１４を排水状態にした場合における排水について説明する。給水装置９から供給された洗面ボウル６６内の水は通水路５２から排水孔部１３内に流入し、続いてヘアーキャッチャー２ａ、２ｂを通過した後、排水管接続部２５の排水用孔２４を通って、排水用連結管３０を経て排水管２９から排水される。この場合、上述したようにヘアーキャッチャー２の羽根を下方に行く程周方向にずれるように傾斜させ、このヘアーキャッチャー２を排水孔部１３内に回転自在に配設してあるので、ヘアーキャッチャー２を通過する水はヘアーキャッチャー２の傾斜した羽根４に当たり、これにより排水孔部１３に回転自在に配設されたヘアーキャッチャー２は回転し、このヘアーキャッチャー２の回転によりヘアーキャッチャー２の上流側の水は下流側に吸い込まれることとなり、これによって排水孔部１３からの排水能力を増加させることができる。
【００４０】
また本実施形態においては、排水孔部１３内に上端部に排水孔部１３を閉塞する排水栓１４を備えた上下動自在の軸２２を配設し、該軸２２にヘアーキャッチャー２の芯体３を回転自在に配設し、軸２２を上下動させて排水栓１４で排水孔部１３の開閉を切替える操作部を備えることで、軸２２によりヘアーキャッチャー２の回転が安定し、より排水能力を増加させることができ、排水孔部１３の開閉を行う排水栓１４を備えた排水構造において、簡単な構成でヘアーキャッチャー２を排水孔部１３内に回転自在に配設することができる。
【００４１】
また上記では排水孔部１３に配設されるヘアーキャッチャー２を排水孔部１３内面に形成した段部５９により支持し、排水孔部に支持した例を示したが、排水孔部１３内面に段部５９を形成せず、ケーブル３９にのみ支持してあっても良いものとする。
【００４２】
次に上記実施形態とは異なる実施形態を以下に示す。なお本実施形態におけるヘアーキャッチャーの排水構造は洗面化粧台１に適用されるものであり、基本的構成は上記実施形態と同様であるので、上記実施形態と同一の構成については同一の番号を付与し、重複する説明については説明を省略する。また、本実施形態においては、上記実施形態に示した排水栓１４及び軸２２、排水栓１４を任意の位置に停止させる手段は備えていないものとする。
【００４３】
本実施形態は図８、図９に示すように上記実施形態における洗面化粧台１にヘアーキャッチャー２の芯体３に接続されると共にヘアーキャッチャー２の回転により発電する発電機６と、発電機６で発電した電力を貯える蓄電池７とを備えている。
【００４４】
洗面化粧台１の排水孔部１３内にはヘアーキャッチャー２が回転自在に配設されている。詳述すると、ヘアーキャッチャー２は図１０に示すように上下方向に並べて配置された２つのヘアーキャッチャー２ａ、２ｂを接続片５３にて一体に接続してあり、下のヘアーキャッチャー２ｂの外枠体５は排水金具１２の内面の上下方向中央部に形成した段部５９に支持されており、これにより上下のヘアーキャッチャー２ａ、２ｂは排水孔部１３に回転自在に支持されている。また、下のヘアーキャッチャー２ｂの芯部には下方に突出する接続軸６３が突設してある。
【００４５】
接続軸６３の先端は排水孔部１３内に回転自在に配設された駆動軸６４と着脱自在に接続されている。すなわち、駆動軸６４の先端には接続軸６３の先端が着脱自在に接続される接続軸接続部６５が形成されている。接続軸６３を駆動軸６４に対して着脱自在とすることで、駆動軸６４から接続軸６３を取り外して、ヘアーキャッチャー２を排水孔部１３から取り出して清掃できる。
【００４６】
駆動軸６４には駆動軸６４の回転により発電する発電機６が設けられている。そしてこの発電機６はリード線を介して蓄電池７に電気的に接続されている。
【００４７】
蓄電池７には図９に示すように洗面化粧台１のキャビネットに設けた照明器８がリード線を介して電気的に接続してある。
【００４８】
しかして、排水孔部１３から排水が行われた場合、ヘアーキャッチャー２を通過する水はヘアーキャッチャー２の傾斜した羽根４に当たり、これにより排水孔部１３に回転自在に配設されたヘアーキャッチャー２は回転し、このヘアーキャッチャー２の回転はヘアキャッチャー２の接続軸６３に接続された駆動軸６４を回転させ、この駆動軸６４の回転により発電機６は発電する。発電機６で発生した電力は蓄電池７に供給され、蓄電池７に電力が貯えられる。そしてこの蓄電池７に貯えられた電力はリード線を介して照明器８に供給される。またこの場合も、上記実施形態と同様にヘアーキャッチャー２の回転によりヘアーキャッチャー２の上流側の水は下流側に吸い込まれることとなり、これによって排水孔部１３からの排水能力を増加できる。
【００４９】
このように洗面化粧台１にヘアーキャッチャー２の芯体３に接続されると共にヘアーキャッチャー２の回転により発電する発電機６を備えることで、洗面化粧台１に備えた照明器に電力を供給することが可能となり、これにより省エネ化が図れる。
【００５０】
また、本実施形態においては、発電機６に蓄電池７を電気的に接続しているので、排水時以外にも洗面化粧台１の種々の電気機器に電力を供給することが可能となり、排水時の水力エネルギーをより効率的に利用できる。
【００５１】
なお、上記では接続軸６３と駆動軸６４とを接続軸６３の先端に設けた接続軸接続部６５により接続したが、これに限定されるものではなく、例えば接続部材及び駆動軸に歯車を設け、両歯車を噛み合わせるなどして接続軸６３と駆動軸６４とを着脱自在に接続しても良いものとする。
【００５２】
また、上記蓄電池７をリード線を介して給水装置９の人体検知センサ１０と電磁弁１１のうち、少なくともいずれか一方に電気的に接続してあっても良い。本実施形態においては図１１に示すように蓄電池７を給水装置９の人体検知センサ１０と電磁弁１１との両方に電気的に接続してある。これにより、蓄電池７に貯えられた電力はリード線を介して人体検知センサ１０及び電磁弁１１に供給されることとなる。なお、この場合蓄電池７を給水装置９の表示部５６に電気的に接続してあっても良いものとする。
【００５３】
上記では蓄電池７からの電力供給先をキャビネットの照明器８や、人体検知センサ１０、電磁弁１１、表示部８としたがこれに限定されるものではなく、洗面化粧台１に備えた種々の電気機器に電力を供給しても良く、また蓄電池７に複数の電気機器を電気的に接続しても良いものとする。
【００５４】
【発明の効果】
上記のように本発明の請求項１記載の発明にあっては、ヘアーキャッチャーの羽根を下方に行く程周方向にずれるように傾斜させ、このヘアーキャッチャーを排水孔部内に回転自在に配設してあるので、排水孔部を流れる排水はヘアーキャッチャーの傾斜した羽根に当たり、これにより排水孔部に回転自在に配設されたヘアーキャッチャーは回転し、このヘアーキャッチャーの回転によりヘアーキャッチャーの上流側の水は下流側に吸い込まれることとなり、これによって排水孔部からの排水能力を増加できる。
【００５５】
また請求項２記載の発明にあっては、上記請求項１記載の発明の効果に加えて、上記排水孔部内に上端部に排水孔部を閉塞する排水栓を備えた上下動自在の軸を配設し、ヘアーキャッチャーの芯体に前記軸を回転自在に挿通し、軸を上下動させて排水栓で排水孔部の開閉を切替える操作部を備えることで、軸によりヘアーキャッチャーの回転が安定し、これにより、より排水能力を増加させることができ、また排水孔部の開閉を行う排水栓を備えた排水構造において、簡単な構成でヘアーキャッチャーを排水孔部内に回転自在に配設することができ、コストダウンが図れる。
【００５６】
また請求項３記載の発明にあっては、ヘアーキャッチャーの羽根を下方に行く程周方向にずれるように傾斜させ、このヘアーキャッチャーを排水孔部内に回転自在に配設してあるので、排水孔部を流れる排水はヘアーキャッチャーの傾斜した羽根に当たり、これにより排水孔部に回転自在に配設されたヘアーキャッチャーは回転し、このヘアーキャッチャーの回転によりヘアーキャッチャーの上流側の水は下流側に吸い込まれることとなり、これによって排水孔部からの排水能力を増加させることができ、尚且つ、洗面化粧台にヘアーキャッチャーの芯体に接続されると共にヘアーキャッチャーの回転により発電する発電機を備えることで、洗面化粧台に備えた種々の電気機器に電力を供給することが可能となり、これにより洗面化粧台の省エネ化が図れる。
【００５７】
また請求項４記載の発明にあっては、上記請求項３記載の発明の効果に加えて、洗面化粧台に発電機で発電した電力を貯える蓄電池を設けることで、排水時以外にも洗面化粧台の種々の電気機器に電力を供給することが可能となり、より一層ヘアーキャッチャーの回転により発生した電力を効率良く利用できる。
【００５８】
また請求項５記載の発明にあっては、上記請求項４記載の発明の効果に加えて、洗面化粧台に照明器を設け、該照明器を蓄電池と電気的に接続することで、蓄電池に貯えられた電力を洗面化粧台に備えた照明器に供給することができる。
【００５９】
また請求項６記載の発明にあっては、上記請求項４又は請求項５記載の発明の効果に加えて、蓄電池に貯えられた電力を人体検知センサや電磁弁に供給することが可能となり、より一層ヘアーキャッチャーの回転により発生した電力を効率良く利用できる。
【図面の簡単な説明】
【図１】（ａ）は本発明の実施の形態の一例を示す排水状態における一部破断側面図であり、（ｂ）は（ａ）のポップアップ引き棒の段差部と係止リングとの係止状態の説明図である。
【図２】同上の排水構造を備えた洗面化粧台の斜視図である。
【図３】同上の止水状態における一部破断側面図である。
【図４】同上の排水栓を排水口面よりも上方に突出させた状態における一部破断側面図である。
【図５】同上の排水金具の分解斜視図である。
【図６】（ａ）はヘアーキャッチャー及び排水栓を示す斜視図であり、（ｂ）は（ａ）の側断面図である。
【図７】同上の操作部の拡大図である。
【図８】異なる実施形態の一例を示す一部破断側面図である。
【図９】同上の説明図である。
【図１０】同上のヘアーキャッチャーの斜視図である。
【図１１】図９とは異なる例を示す説明図である。
【図１２】従来の排水構造を示す一部破断側面図である。
【符号の説明】
１  洗面化粧台
２  ヘアーキャッチャー
３  芯体
４  羽根
５  洗面ボウル
６  発電機
７  蓄電池
８  照明器
９  給水装置
１０  人体検知センサ
１１  電磁弁
１３  排水孔部
１４  排水栓
２２  軸
【図１】
2004150038.tif 000003
【図２】
2004150038.tif 000004
【図３】
2004150038.tif 000005
【図４】
2004150038.tif 000006
【図５】
2004150038.tif 000007
【図６】
2004150038.tif 000008
【図７】
2004150038.tif 000009
【図８】
2004150038.tif 000010
【図９】
2004150038.tif 000011
【図１０】
2004150038.tif 000012
【図１１】
2004150038.tif 000013
【図１２】
2004150038.tif 000014